(57)【要約】【課題】  給油所システムにおいて、クレジットカードを使用した場合でもプリペイドカードにポイントを付加できるようにする。【解決手段】  購入時に前記プリペイドカードを投入した場合は、前記購入金額に応じたポイントを当該プリペイドカードに書き込む。購入時に前記プリペイドカードを投入せずに、貨幣を投入した場合は、前記カードストッカから新しいプリペイドカードの発行を可能とすると共に、当該プリペイドカードに釣銭を残高として書き込み、かつ、購入金額に応じたポイントを書き込む。購入時に前記プリペイドカードを投入せずに、クレジットカードを投入した場合は、前記カードストッカから新しいプリペイドカードの発行を可能とすると共に、当該プリペイドカードに購入金額に応じたポイントを書き込む。【選択図】        図３
2005332017.tif 000002
【特許請求の範囲】
【請求項１】
給油用のポンプと、給油量を計量する流量計と、給油用の給油ノズルとを有する給油装置を備えた給油所システムであって、
給油量又は給油金額を含む給油予定情報を入力するための給油予定情報入力手段と、
給油のために投入された貨幣を識別するための貨幣識別手段と、
予め入金された予納額および／または貨幣の金額から購入金額を減算した残高、ならびに、購入金額に基づいて定まるポイントを印字可能なプリペイドカードをストックするカードストッカと、
前記プリペイドカードの残高およびポイントの読み取りおよび書き込みを行うプリペイドカードリーダと、
クレジットカードの情報を読み取るクレジットカードリーダと、
制御装置とを備え、
少なくとも燃料油について、プリペイドカードのみによる購入と、貨幣のみによる購入と、プリペイドカードおよび貨幣の双方を用いた購入と、クレジットカードのみによる購入と、クレジットカードおよびプリペイドカードの双方を用いた購入とを可能にし、
購入時に前記プリペイドカードを投入した場合は、前記購入金額に応じたポイントを当該プリペイドカードに記憶させると共に印字し、
購入時に前記プリペイドカードを投入せずに、貨幣を投入した場合は、前記カードストッカから新しいプリペイドカードの発行を可能とすると共に、当該プリペイドカードに釣銭を残高として記憶させると共に印字し、かつ、購入金額に応じたポイントを記憶させると共に印字し、
購入時に前記プリペイドカードを投入せずに、クレジットカードを投入した場合は、前記カードストッカから新しいプリペイドカードの発行を可能とすると共に、当該プリペイドカードに購入金額に応じたポイントを記憶させると共に印字するように、
前記制御装置により制御することを特徴とする給油所システム。
【請求項２】
請求項１において、前記プリペイドカードを発行するか否かの選択スイッチを更に備え、前記クレジットカードのみを投入した場合に前記選択スイッチによりプリペイドカードの発行が選択されると、当該プリペイドカードに購入金額に応じたポイントが記憶されると共に印字されるように制御される給油所システム。
【請求項３】
請求項１もしくは２において、ポイントが付加されているが前記残高のないプリペイドカードは、貨幣と併用可能で、貨幣と併用されることで、当該プリペイドカードに新たにポイントが付加される給油所システム。
【発明の詳細な説明】
【技術分野】
【０００１】
本発明は、主としてセルフサービス式の給油所システムに関する。
【背景技術】
【０００２】
特開平５−２７８７９４号には、カードと現金を使用して給油を行い、釣銭をカードに記録するシステムが開示されている。
特開平２００１−９７４９８号には、カードと現金を使用して給油を行い、釣銭をカードに記録する方法において、給油毎に給油に応じたポイントを加減算してカードに印字、記録するシステムが開示されている。
特開平５−２３３９５７号にはポイントカードをプリペイドカードとして使用するために、一定以上になったポイントに対応する金額をプリペイドカードに表示、記録するシステムが開示されている。
特開平６−７６１２２号には、ポイントカードに記録されたポイント数が一定のポイント数以上になると、一定額以内の取引金額をポイントで支払うことができるシステムが開示されている。
特開平６−２６６９７０号には、売り上げ商品に対応したポイント数を計算し、商品の売り上げ毎にポイントカードに計算したポイント数を累算記録印字し、ポイント数に応じたサービスを行うシステムが開示されている。
【特許文献１】特開平５−２７８７９４号（要約書）
【特許文献２】特開平２００１−９７４９８号（要約書）
【特許文献３】特開平５−２３３９５７号（要約書）
【特許文献４】特開平６−７６１２２号（要約書）
【特許文献５】特開平６−２６６９７０号（要約書）
【０００３】
しかし、これらの先行技術には、クレジットカードの使用時にプリペイドカードにポイントを印字・記録することは開示されていない。
すなわち、クレジットカードや掛けカード（以下、単にクレジットカードといった場合、クレジットカードと掛けカードの両カードを指す意味である。）での給油・精算も行われているが、クレジットカードにおけるポイントの付加はクレジットセンターで行われていた。また、給油所自体で行う場合は別にポイントカードを用意してポイントを付与している。
【発明の開示】
【発明が解決しようとする課題】
【０００４】
したがって、本発明の主目的は、給油所システムにおいて、プリペイドカードを、現金および／またはプリペイドカードでの給油・精算時だけでなく、クレジットカードを使用した場合でもプリペイドカードにポイントを付加できるようにすることである。
また、本発明の他の目的は、クレジットカードを使用した場合に発行されるポイントを付加したプリペイドカードを、残金があればそのままプリペイドカードとして使用でき、また、残金がないか少ない場合は現金と併用してプリペイドカードとして使用できるようにすることである。
【０００５】
前記目的を達成するために、本発明は、給油用のポンプと、給油量を計量する流量計と、給油用の給油ノズルとを有する給油装置を備えた給油所システムであって、給油量又は給油金額を含む給油予定情報を入力するための給油予定情報入力手段と、給油のために投入された貨幣を識別するための貨幣識別手段と、予め入金された予納額および／または貨幣の金額から購入金額を減算した残高、ならびに、購入金額に基づいて定まるポイントを印字可能なプリペイドカードをストックするカードストッカと、前記プリペイドカードの残高およびポイントの読み取りおよび書き込みを行うプリペイドカードリーダと、クレジットカードの情報を読み取るクレジットカードリーダと、制御装置とを備え、少なくとも燃料油について、プリペイドカードのみによる購入と、貨幣のみによる購入と、プリペイドカードおよび貨幣の双方を用いた購入と、クレジットカードのみによる購入と、クレジットカードおよびプリペイドカードの双方を用いた購入とを可能にし、購入時に前記プリペイドカードを投入した場合は、前記購入金額に応じたポイントを当該プリペイドカードに記憶させると共に印字し、購入時に前記プリペイドカードを投入せずに、貨幣を投入した場合は、前記カードストッカから新しいプリペイドカードの発行を可能とすると共に、当該プリペイドカードに釣銭を残高として記憶させると共に印字し、かつ、購入金額に応じたポイントを記憶させると共に印字し、購入時に前記プリペイドカードを投入せずに、クレジットカードを投入した場合は、前記カードストッカから新しいプリペイドカードの発行を可能とすると共に、当該プリペイドカードに購入金額に応じたポイントを記憶させると共に印字するように、前記制御装置により制御することを特徴とする。
【０００６】
本発明によれば、現金、プリペイドカード、クレジットカードのいずれの給油・精算時でもプリペイドカードにポイントが付加され、またポイントが付加された残額のあるプリペイドカードは現金と併用して、そのまま給油可能なカードとして使用できるようになるので、使用者にとって使い勝手のよいカードになる。一方、給油所では１枚のカードでポイントの管理ができる上、給油客の再来店が期待でき販売促進のツールともなる。
【０００７】
本発明の好適な実施例においては、前記プリペイドカードを発行するか否かの選択スイッチを更に備え、前記クレジットカードのみを投入した場合に前記選択スイッチによりプリペイドカードの発行が選択されると、購入金額に応じたポイントが記憶されると共に印字されたプリペイドカードが発行される。
【０００８】
このように、プリペイドカードの発行を選択できるようにすることで、無用なプリペイドカードの発行を防止し得る。
【実施例１】
【０００９】
以下、本発明の一実施形態を図面にしたがって説明する。
全体構成：
図１（ａ）に示すように、セルフサービス方式の給油所システムは、ＰＯＳ端末２０を備えている。該ＰＯＳ端末２０には、釣銭発行機４０や、複数台の給油装置９などが、図示しないインターフェイスを介して、たとえば、ethernetおよび業界標準のSS-LANなどにより互いに接続されている。給油装置９には、それぞれ、精算装置１０が接続されている。前記ＰＯＳ端末２０は、給油所内に設けられた給油装置９や、精算装置１０、釣銭発行機４０などの管理を行うものであり、たとえばパソコンで構成されている。
一方、ＰＯＳ端末２０は、たとえば電話回線などにより、給油所から離れた場所に存在するクレジットセンター３０に接続されている。
【００１０】
図１（ｂ）は、前記精算装置１０の正面図である。図１（ｂ）に示すように、精算装置１０の正面に設けられた操作パネル１０Ａには、表示器１２、貨幣挿入口１３Ａ、プリペイドカード挿入口１４Ａ、クレジットカード挿入口１６Ａ、レシート発行口１９Ａ、人検知センサ１８およびスピーカー１７などが設けられている。
【００１１】
後述するように、顧客は、図１（ａ）の精算装置１０に、後述するプリペイドカード（板状記憶媒体）や、貨幣、クレジットカードなどを投入した後に給油装置９から給油を行い、該給油後に精算装置１０から返却されたプリペイドカードやクレジットカード、釣銭引換え券などを受け取る。釣銭（現金）の払い戻しを受ける場合には、釣銭引換え券を釣銭発行機４０に投入して、釣銭の払い戻しを受ける。
【００１２】
給油装置９：
図２に示すように、前記給油装置９には、たとえばマイコンなどからなる給油機制御手段９１が設けられている。給油機制御手段９１には、油種と給油量または給油金額を含む給油予定情報を入力するための図示しないスイッチ（給油予定情報入力手段）などと共に、たとえば、「レギュラー」、「ハイオク」および「軽油」などの油種別に給油機９３および給油ノズル９２が接続されている。給油機９３は、それぞれ、油送用のポンプおよび給油量を計量する流量計を備えており、給油用の給油ノズル９２に接続されている。
給油機制御手段９１は給油機９３の制御を行うものであり、前記給油予定情報に従って、所定の油種の給油ノズル９２からの給油を可能とすると共に、給油量のカウントを行い精算装置１０に油種および給油量などからなる給油実績を送信する。
【００１３】
精算装置１０：
精算装置１０はマイコン（制御装置）１１を備えている。マイコン１１は、ＣＰＵ１１ａおよび記憶部１１ｂを備えている。
マイコン１１は、前記給油装置９から受信した給油実績（油種および給油量）に基づいて給油金額（購入金額）を算出し、前記給油が行われる毎に、当該給油時の月日、時刻、給油量、油種、投入金額、買上金額および釣銭情報などの給油情報を前記ＰＯＳ端末２０（図１（ａ））に送信する。
【００１４】
前記マイコン１１には、表示器１２、貨幣（紙幣）識別機１３、プリペイドカードリード・ライタ（以下、「プリカリード・ライタ」という）１４、カードストッカ１５、クレジットカードリーダ（以下、「クレジットリーダ」という）１６、スピーカー１７、人検知センサ１８およびプリンタ１９が図示しないインターフェイスを介して互いに接続されている。
【００１５】
前記表示器１２は、たとえば、液晶表示器を備えたタッチスクリーンからなり、たとえば、図６（ａ），（ｂ）などの表示画面を表示させる表示手段を構成していると共に、表示画面に表示された確認ボタン１２ａ〜１２ｃや選択スイッチ１２ｓなどにタッチすることで入力を行う入力手段を構成している。
【００１６】
図２に示すプリンタ１９は、たとえば、サーマルプリンタやカッタなどを備えており、レシート発行口１９Ａ（図１（ｂ））から、納品書や領収書、釣銭引換券などの発行を行う。
【００１７】
前記貨幣識別機（貨幣識別手段）１３は、貨幣挿入口１３Ａ（図１（ｂ））から投入された紙幣を識別するものであり、紙幣の種類や枚数（個数）の判別を行う。
【００１８】
クレジットリーダ１６は、前記クレジット挿入口１６Ａ（図１（ｂ））から挿入（投入）されたクレジットカードから登録情報を読み取り、前記マイコン１１に当該登録情報を送信する。マイコン１１は、該登録情報をＰＯＳ端末２０に送信し、ＰＯＳ端末２０は該情報を、図１（ａ）のクレジットセンター３０に送信する。クレジットセンター３０で該登録情報が確認されると、クレジットセンター３０から正規の登録情報である旨の承認信号がＰＯＳ端末２０に送られ、精算装置１０での精算が可能となる。
【００１９】
なお、「クレジットカード」とは、当該カード所有者の会計処理上必要な登録情報を提供するためのカードであり、当該カードとしては、たとえば、該カードの一部に設けた磁気面を備えた磁気カードや、カードに内蔵されたＣＰＵおよび不揮発製メモリＩＣを備えたＩＣカードなどを用いることができる。
【００２０】
図２に示すカードストッカ１５には、プリペイドカード（以下、「プリカ」という）が未使用の状態でストックされており、前記未使用のプリカは、後述する所定のタイミングでプリカリード・ライタ１４に送られる。
【００２１】
前記プリカリード・ライタ１４は、プリカ挿入口（図１（ｂ））１４Ａから挿入（投入）されたプリカの読み取り、書き込みおよび印字を行う。一方、プリカリード・ライタ１４は、前記カードストッカ１５から送られた未使用のプリカに書き込みおよび印字を行い、当該プリカをプリカ挿入口１４Ａから発行する。
【００２２】
プリカＰ；
図７および図９に示すように、プリカＰは、裏面の磁気記録面（図示せず）と表面の印字領域３ａとを有している。前記印字領域３ａには、当該プリカＰの使用月日や、投入金額、残額（残高）、ポイント数などからなる給油情報が印字される。前記印字領域３ａは、最大ｎ回の給油に伴うｎ回の印字が可能になっている。
【００２３】
前記使用月日欄には、本プリカＰが使用された（給油が行われた）月日が印字される。投入金額欄には、貨幣挿入口１３Ａから投入された金額（予納額）が印字される。残額欄には、当該プリカＰにおいて使用可能な金額が印字される。ポイント欄には、後述するポイント数が印字される。一方、前記磁気記録面には、前記各印字欄の給油情報のうち、最新の給油情報が更新記録されると共に、当該プリカＰの認証情報などが記録される。
なお、本実施例において、「記録」とは、プリカＰの磁気記録面に記憶させると共に、、印字欄に印字することをいう。
【００２４】
前記ポイント数は、購入金額の累計に基づいて定まる付与価値の数値であり、たとえば、前記累計に１／１００を乗算し、小数点以下を四捨五入することで算出される。前記ポイント数は、後述する所定のトリガーに基づいて、前記所定の印字位置に印字される。一方、前記ポイント数は、所定の数以上になると、後述するように、キャッシュバックや、景品交換、単価の値下げなどに用いられる。キャッシュバックが行われた場合には、給油可能な現金として前記残額に加算され、図９の網点部分に示すように、前記ポイント数に対応する現金の加算されたキャッシュバック後の残額が前記所定の印字位置に印字される。前記ポイント数は、付与価値として前記印字領域３ａに印字された後にのみ給油可能金としての使用が可能になる。
なお、図７および図９のプリカＰに施した網点は、説明の為に付したものであり、実際には印字されない。
【００２５】
支払方法：
本システムは、プリカＰや、貨幣、クレジットカードによる種々の支払方法を可能としている。給油方法の説明に先立ち、種々の支払方法と、ポイント記録および釣銭支払方法との関係について図３を用いて説明する。
【００２６】
図３に示すように、プリカＰのみを用いて給油を行った場合には、当該プリカＰから給油金額が支払われ、当該プリカＰの残額から給油金額が減額された新たな残額がプリカＰに記録される。また、給油金額に応じたポイント数が、プリカＰの給油前のポイント数に加算され、新たなポイント数としてプリカＰに記録される。
現金のみで給油を行った場合には、新たなプリカＰの発行の有無が質問され、プリカＰの発行を行う場合には、カードストッカ１５から新しいプリカＰが発行されると共に、現金から給油金額が支払われ、釣銭が生じた場合には、当該プリカＰに残額として釣銭の金額が記録される。また、当該プリカＰに給油金額に応じたポイント数が記録される。一方、プリカＰの発行を行わない場合には、プリカＰは発行されずに現金から給油金額が支払われ、釣銭が生じた場合には、レシート発行口１９Ａから釣銭引換え券が発行される。
【００２７】
現金およびプリカＰで給油を行った場合には、当該現金と当該プリカＰの残額の合計金額から給油金額が支払われ、当該合計金額から給油金額が減額された新たな残額がプリカＰに記録される。また、給油金額に応じたポイント数が、プリカＰの給油前のポイント数に加算され、新たなポイント数としてプリカＰに記録される。
クレジットカードのみを用いて給油を行った場合には、新たなプリカＰの発行の有無が質問され、プリカＰの発行を行う場合には、カードストッカ１５から新しいプリカＰが発行されると共に、クレジットカードから給油金額が支払われる処理が行われ、また、当該プリカＰに給油金額に応じたポイント数が記録される。一方、プリカＰの発行を行わない場合には、プリカＰの発行は行わないので、ポイント数の記録は行われない。
クレジットカードおよびプリカＰで給油を行った場合には、まず当該プリカＰの残額から給油金額が支払われ、不足分はクレジットカードから給油金額が支払われる処理が行われるが、もし、当該プリカＰの残額が給油金額よりも多い場合には、当該プリカＰからのみ給油金額が支払われ、当該プリカＰの残額から給油金額が減額された新たな残額がプリカＰに記録される。また、当該給油金額に応じたポイント数が、当該プリカＰの給油前のポイント数に加算され、新たなポイント数としてプリカＰに記録される。
【００２８】
クレジットカードおよび現金で給油を行った場合には、新たなプリカＰの発行の有無が質問され、プリカＰの発行を行う場合には、カードストッカ１５から新しいプリカＰが発行されると共に、まず、当該現金から給油金額が支払われ、不足分はクレジットカードから給油金額が支払われる処理が行われるが、もし、当該現金が給油金額よりも多い場合には当該現金からのみ給油金額が支払われ、当該プリカＰに残額として釣銭の金額が記録される。また、当該プリカＰに給油金額に応じたポイント数が記録される。一方、プリカＰの発行を行わない場合には、プリカＰは発行されずに、現金とクレジットカードから給油金額が支払われ、もし、当該現金が給油金額よりも多く釣銭が生じた場合には、レシート発行口１９Ａから釣銭引換え券が発行される。
クレジットカード、現金およびプリカＰで給油を行った場合には、まず、当該現金と当該プリカＰの残額の合計金額から給油金額が支払われ、不足分はクレジットカードから給油金額が支払われる処理が行われるが、もし、当該合計金額が給油金額よりも多い場合には、当該合計金額からのみ給油金額が支払われ、当該合計金額から給油金額が減額された新たな残額がプリカＰに記録される。また、給油金額に応じたポイント数が、プリカＰの給油前のポイント数に加算され、新たなポイント数としてプリカＰに記録される。
【００２９】
このように、本システムでは、現金および／またはプリカＰでの給油・精算時だけではなく、クレジットカードを使用した場合でも、プリカＰにポイント数を付加することができる。
また、前記プリカＰは、残額があればそのままプリカＰとして使用でき、一方、残額が少ない場合には、現金やクレジットカードと併用して用いることができるので至便である。
【００３０】
給油方法：
つぎに、図４および図５に示すフローチャートに従い、ポイント数の算出方法やプリカＰにポイント数を付加するタイミング等を含む給油方法について具体的に説明する。なお、以下の説明では、前述の〔現金およびプリカＰ〕、〔クレジットカードのみ〕、〔クレジットカードおよびプリカＰ〕を用いた３種類の方法で給油を行った場合（図３における網点の部分）について、例示して説明する。
【００３１】
［プリカＰと現金を併用した場合］
ステップＳ１で、顧客がプリカＰおよび現金を、図１（ｂ）のプリカ挿入口１４Ａおよび貨幣挿入口１３Ａから、それぞれ投入すると、ステップＳ２で、前記プリカリード・ライタ１４および貨幣識別機１３が、プリカＰおよび現金の投入をそれぞれ検出し、ステップＳ３に進む。
【００３２】
ステップＳ３では、図２のプリカリード・ライタ１４が、当該プリカＰから、認証情報や前記給油情報などを読み出しマイコン１１に送信して、ステップＳ４に進む。
ステップＳ４では、マイコン１１が前記認証情報に基づき、当該プリカＰが正規のカードであるか否かの判別を行い、正規のカードであると判別した場合には、ステップＳ５に進む。正規のカードではないと判別した場合には、ステップＳ３９に進む。ステップＳ３９では、表示器１２にプリカＰを受け付けられない旨の表示を行うと共に、該プリカＰをプリカ挿入口１４Ａから排出する。
【００３３】
ステップＳ５では、貨幣識別機１３が計数した紙幣の数に基づき、マイコン１１が投入金額を算出してステップＳ６に進む。
ステップＳ６では、マイコン１１が、当該プリカＰから読み出した残額およびポイント数と共に、前記投入金額を表示器１２に表示させて、ステップＳ７に進む。一方、マイコン１１は、投入金額とプリカＰの残額とを合計して給油可能な金額（以下、「合計金額」という）を算出する。
【００３４】
ステップＳ７では、マイコン１１が給油装置９に油種および給油方法の設定画面を表示させ、ステップＳ８に進む。
ステップＳ８では、油種（給油予定情報の一部）が指定されるとステップＳ９に進む。
ステップＳ９では、満タンや、給油量、金額指定などの給油方法（給油予定情報の一部）が指定されるとステップＳ１０に進む。
ステップＳ１０では、給油が開始可能となり、ステップＳ１１に進む。
ステップＳ１１において、顧客が給油を行い、前記給油予定情報に基づいて給油が完了すると、マイコン１１が、給油装置９からの給油実績に基づき今回給油を行った給油金額を算出すると共に、前記合計金額から当該給油金額を減算し、新たな残額を算出して、図５に示すステップＳ１２に進む。
【００３５】
図５のステップＳ１２では、プリカＰが挿入されているか否かの確認がなされて、ステップＳ１３に進む。
ステップＳ１３では、マイコン１１が今回給油した給油金額に基づき、今回のポイント数を算出してステップＳ１４に進む。
ステップＳ１４では、前回までのポイント数に今回算出したポイント数を加算し、新たなポイント数を算出して、ステップＳ１５に進む。
ステップＳ１５では、前記新たなポイント数が所定のポイント数（たとえば、１００ポイント）以上であるか否かの判別を行い、所定ポイント数以上である場合には、ステップＳ１６に進む。所定ポイント数未満である場合には、ステップＳ１９に進む。
【００３６】
所定ポイント数以上の場合；
ステップＳ１６では、マイコン１１が図６（ａ）に示すポイント使用の選択画面を表示器１２に示す。前記選択画面には、カードにキャッシュバックするか、景品に交換するか、給油単価を値下げするかの選択項目が表示され、当該項目に対応する選択ボタン１２ａ〜１２ｃがそれぞれ表示されて、ステップＳ１７に進む。
【００３７】
ステップＳ１７では、キャッシュバックか否かの判別が行われ、キャッシュバックに対応する確認ボタン１２ａがタッチされた場合には、ステップＳ１８に進む。一方、他のボタンがタッチされた場合には、ステップＳ６０に進む。
【００３８】
〔キャッシュバック〕
ステップＳ１８では、当該所定ポイント数が現金に換算されると共に、前記新たなポイント数から所定ポイント数を減算したキャッシュバック後のポイント数を算出して、ステップＳ１９に進む。
図５のステップＳ１９では、マイコン１１が前記残額に前記所定ポイント数に対応する金額を加算してキャッシュバック後の残額を算出して、ステップＳ２０に進む。
ステップＳ２０では、図７（ａ）に示すように、プリカＰに当該給油月日、投入金額、キャッシュバック後の残額およびキャッシュバック後のポイント数を記録して、ステップＳ２１に進む。
【００３９】
キャッシュバックの例；
たとえば、図７（ａ）に示すプリカＰでは、網点で示すように、現金３０００円と残額７１８円・９６ポイントのプリカＰとを併用し、合計金額３７１８円で給油を行っている。給油金額２６５４円分の給油を行った場合、合計金額３７１８円−給油金額２６５４円＝新たな残額１０６４円となる。一方、今回のポイント数は、１００円で１ポイント換算で算出することにより、２６ポイントとなり、前回までのポイント数９６ポイントとの合計である新たなポイント数が１２２ポイントとなる。
【００４０】
新たなポイント数が１００ポイント以上であるため、顧客がキャッシュバックを選択すると、当該１００ポイントに対応するキャッシュバック金額１００円が、新たな残額１０６４円に加算され、キャッシュバック後の残額１１６４円が記録される。一方、前記新たなポイント数１２２から、キャッシュバックを行ったポイント数１００ポイントが減算され、キャッシュバック後のポイント数２２ポイントが記録される。
【００４１】
〔景品交換〕
図５のステップＳ６０では、景品交換か否かの判別が行われ、景品交換に対応する確認ボタン１２ｂ（図６（ａ））がタッチされた場合には、ステップＳ６１に進む。その他の場合、すなわち、単価値下げに対応する確認ボタン１２ｃがタッチされた場合には、ステップＳ６３に進む。
ステップＳ６１では、前記新たなポイント数から、景品交換に対応する所定ポイント数を減算し、景品交換後のポイント数を算出して、ステップＳ６２に進む。
ステップＳ６２では、プリンタ１９が景品交換券を印字して発行口１９Ａから発行して、ステップＳ１９に進む。
【００４２】
ステップＳ１９では、残額が算出され（今回はキャッシュバックではないので、前記新たな残額に０が加算される＝前記新たな残額のまま）、続くステップＳ２０では、図７（ｂ）に示すように、プリカＰに当該月日、投入金額、新たな残額および景品交換後のポイント数が記録されて、ステップＳ２１に進む。
【００４３】
景品交換の例；
たとえば、図７（ｂ）に示すプリカＰでは、前述の図７（ａ）と同様に、現金３０００円と、残額７１８円・９６ポイントのプリカＰとを使用し、給油金額２６５４円分の給油を行っている。新たなポイント数が１００ポイント以上（１１２ポイント）となるため、顧客が景品交換を選択すると、景品交換券が発行される（ステップＳ６２）。
一方、前記新たなポイント数１２２から１００ポイントが減算され、景品交換後のポイント数２２が記録される。
【００４４】
〔単価値下げ〕
ステップＳ６３では、単価値下げの確認ボタン１２ｃ（図６（ａ））がタッチされると、前記新たなポイント数から単価値下げに対応するポイント数を減算して、値下げ後のポイント数を算出し、ステップＳ６２に進む。
ステップＳ６４では、マイコン１１が次回からの単価値下げ処理を行う決定をし、ステップＳ１９に進む。
【００４５】
ステップＳ１９では、残額が算出され、続くステップＳ２０では、図７（ｃ）に示すように、プリカＰに当該月日、投入金額、新たな残額および単価値下げ後のポイント数が記録されて、ステップＳ２１に進む。一方、プリカＰには次回から単価値下げを行うためのフラグが記録される。
【００４６】
単価値下げの例；
たとえば、図７（ｃ）に示すプリカＰでは、前述の図７（ａ）と同様に、現金３０００円と、残額７１８円・９６ポイントのプリカＰとを使用し、給油金額２６５４円分の給油を行っている。新たなポイント数が１００ポイント以上となるため、顧客が単価値下げを選択すると、次回からの単価値下げ処理がを行う決定がなされる（ステップＳ６４）。一方、新たなポイント数１２２から、単価値下げに対応する１００ポイントが減算され、単価値下げ後のポイント数２２が記録されると共に、次回からの単価値下げを行う旨の記録（たとえば、値下げランク２）が行われる。
【００４７】
〔所定ポイント数未満〕
前記ステップＳ１５において、新たなポイント数が所定ポイント数未満の場合には、ステップＳ１９において、マイコン１１が前記算出された新たな残額を残額としてステップＳ２０に進む。
ステップＳ２０では、プリカＰに当該給油月日、投入金額、新たな残額および新たなポイント数を記録して、ステップＳ２１に進む。
【００４８】
ステップＳ２１では、顧客が必要に応じて所定の操作を行うと、図８（ａ）に示すポイント情報や、図８（ｂ）に示す領収書がプリンタ１９によって印字され、発行口１９Ａから発行されて、ステップＳ２２に進む。
ステップＳ２２では、プリカＰがプリカ挿入口１４Ａから排出され、一連の給油処理が完了する。
【００４９】
［クレジットカードを使用した場合］
つぎに、顧客がクレジットカードを用いて給油を行う場合について説明する。
図４に示すステップＳ３０で、顧客がクレジットカードをクレジット挿入口１６Ａから挿入すると、ステップＳ３１で、前記クレジットリーダ１６がクレジットカードの挿入を検出して、ステップＳ３２に進む。
【００５０】
ステップＳ３２では、クレジットリーダ１６が当該クレジットカードから登録情報を読み取り、前記マイコン１１に当該登録情報を送信して、ステップＳ３３に進む。
ステップＳ３３では、マイコン１１が、該登録情報をＰＯＳ端末２０に送信し、ＰＯＳ端末２０は、該情報をクレジットセンター３０に送信する。クレジットセンター３０で該登録情報が確認されると、クレジットセンター３０から正規の登録情報である旨の承認信号がＰＯＳ端末２０に送られ、精算装置１０での精算が可能となり、ステップＳ３４に進む。一方、クレジットセンター３０において、登録情報が承認されない場合には、ステップＳ４０に進む。
ステップＳ４０では、表示器１２にクレジットカードを受け付けられない旨の表示を行うと共に、該クレジットカードをクレジット挿入口１６Ａから排出する。
【００５１】
ステップＳ３４では、承認済のクレジットカードをクレジット挿入口１６Ａから排出して顧客に返却し、ステップＳ３５に進む。
ステップＳ３５では、プリカ挿入口１４Ａが、プリカＰの挿入を検出した場合（顧客がクレジットカードと共にプリカＰを挿入した場合）には、ステップＳ３６に進む。一方、プリカＰが挿入されていない場合には、ステップＳ７に進む。
【００５２】
［クレジットカードとプリカＰとを併用した場合］
ステップＳ３６では、プリカリード・ライタ１４が当該プリカＰから、認証情報や給油情報などを読み出してマイコン１１に送信し、ステップＳ３７に進む。
ステップＳ３７では、マイコン１１が当該認証情報に基づき、当該プリカＰが正規のカードであるか否かの判別を行い、正規のカードであると判別した場合には、ステップＳ３８に進む。正規のカードではないと判別した場合には、ステップＳ３９に進む。ステップＳ３９では、表示器１２にプリカＰを受け付けられない旨の表示を行うと共に、該プリカＰをプリカ挿入口１４Ａから排出する。
【００５３】
ステップＳ３８では、マイコン１１が、当該プリカＰの給油情報に基づき、残額およびポイント数等を表示器１２に表示させると共に、クレジットカードで給油を行う旨の表示を行い、ステップＳ７に進む。
【００５４】
ステップＳ７以降の動作は、前述の［プリカＰと現金を併用した場合］と同様であり、その説明を省略する。なお、クレジットカードを用いた給油では、給油金額をクレジットセンター３０に送信し、クレジットセンター３０において、当該金額の引き落としが行われる。
【００５５】
［クレジットカードのみを使用した場合］
前記ステップＳ３５において、プリカＰが挿入されなかった場合には、ステップＳ７に進み、前述のステップＳ７からステップＳ１２までの動作が行われる。
図５に示すステップＳ１２において、プリカＰが挿入されていないと判別された場合には、ステップＳ５０に進む。
【００５６】
新たなプリカＰを発行；
ステップＳ５０では、図６（ｂ）に示すプリカ発行選択画面が表示される。該プリカ発行選択画面には、プリカＰの発行を行うか否かのを選択するための選択スイッチ１２ｓが表示される。顧客により、プリカＰを作成する旨の選択が行われると、ステップＳ１３に進む。
以後、前述のステップＳ１３からステップＳ１９までの動作が行われ、ステップＳ２０において、前記カードストッカ１５から新たなプリカＰが発行される。プリカリード・ライタ１４によって当該新たなプリカＰに、今回の給油月日および今回のポイント数が記録されて、プリカ挿入口１４Ａから、たとえば、図９（ａ）に示すプリカＰが発行されて、ステップＳ２１に進む。
【００５７】
新たなプリカＰを発行しない；
一方、ステップＳ５０において、顧客により、新たなプリカＰを作成しない旨の選択が行われると、ステップＳ５１に進む。
ステップＳ５１では、顧客が必要に応じて所定の操作を行うと、図８（ｂ）に示す領収書がプリンタ１９によって印字され、発行口１９Ａから発行されて、一連の給油処理が完了する。
【００５８】
クレジットカードを使用した種々の例：
つぎに、クレジットカードを用いて給油を行った場合の種々の例について、図９を用いて説明する。
前述のように、クレジットカードのみを用いて給油した後、新たなプリカＰの発行を選択すると、図９（ａ）に示すように、新たなプリカＰが発行される。
【００５９】
その後、当該プリカＰと現金を用いて給油を繰り返すと、図９（ｂ）に示すように、投入金額と残額とが給油ごとに記録され、やがて、ポイント数が所定ポイント数以上となる。図９（ｂ）では、キャッシュバックが選択されている。
一方、該プリカＰとクレジットカードを用いて給油を繰り返すと、図９（ｃ）に示すように、投入金額および残額欄は空欄となり、給油を繰り返し、やがて、ポイント数が所定ポイント数以上となる。図９（ｃ）では、キャッシュバックが選択され、１００円のキャッシュバックが行われている。以後、当該プリカＰは残金１００円のプリカＰとして使用することが可能となる。
【００６０】
図９（ｄ）は、該プリカＰと現金とを繰り返し使用し、所定回の給油時に、現金の持ち合わせが不足したなどの理由でクレジットカードを使用した場合を示す。図９（ｄ）に示す例では、クレジットカードを使用した際に、ポイント数が所定ポイント数以上となり、キャッシュバックが選択されて、１００円がキャッシュバックされている。
【００６１】
このように、クレジットカードを使用した場合に発行されるプリカＰを残金があれば、そのままプリカＰとして用いて釣銭の記録などにも用いることが可能であり、一方、残金が少ない場合には、現金やクレジットカードと併用してプリカＰとして用いることができるので至便である。
【００６２】
なお、ポイント付加は給油・精算時だけでなく、洗車や油外商品（給油所で扱う商品・サービス）購入時にもできるようにしてもよい。
また、クレジットカードとプリカＰとを併用した場合、プリカＰに残額がある場合は、先にプリカＰを使用して、プリカＰの残額で足りない金額分をクレジットカードで支払うようにしてもよいし、顧客に先にプリカＰから支払うか否かの問い合わせを行うようにしてもよい。
【００６３】
また、給油装置９と精算装置１０とが一体となった給油精算装置を用いてもよい。さらに、表示器１２、貨幣識別機１３、プリカリード・ライタ１４、カードストッカ１５、クレジットリーダ１６、スピーカー１７、人検知センサ１８およびプリンタ１９のうちの１以上の要素は、給油装置１０ごとに設ければよく、構造物としては給油装置１０と一体もしくは別体に設けてもよい。また、必ずしも釣銭発行機３０は必要ではなく、さらに、たとえばセルフサービス用の制御装置からなるセルフコンソール３１を備えていてもよい。
さらに、貨幣識別機１３は紙幣の他に硬貨を使用できるようにしてもよい。また、釣銭発行機４０は必ずしも必要でなく、精算装置１０から釣銭を支払うようにしてもよい。
【産業上の利用可能性】
【００６４】
本発明は、顧客が自分で給油を行うセルフサービス式の給油所システムなどに適用することができる。
【図面の簡単な説明】
【００６５】
【図１】（ａ）は本発明の実施例にかかる給油所システムを示す概略構成図、（ｂ）は同システムにおける精算装置の正面図である。
【図２】精算装置、給油装置およびＰＯＳ端末を示す概略構成図である。
【図３】支払方法ごとに、プリカ発行の有無、ポイント記録および釣銭支払方法を示す図表である。
【図４】給油方法を示すフローチャートである。
【図５】給油方法を示すフローチャートである。
【図６】表示器の表示画面を示す正面図である。
【図７】プリペイドカードの印字領域を示す正面図である。
【図８】プリンタにより印字されたポイント情報および領収書を示す正面図である。
【図９】プリペイドカードの印字領域を示す正面図である。
【符号の説明】
【００６６】
１１：マイコン（制御装置）
１２ｓ：選択スイッチ
１３：貨幣識別機（貨幣識別手段）
１４：プリペイドカードリード・ライタ（プリカリード・ライタ）
１５：カードストッカ
１６：クレジットカードリーダ（クレジットリーダ）
９１：給油機制御手段（制御装置）
９２：給油ノズル
Ｐ：プリペイドカード（プリカ）
【図１】
2005332017.tif 000003
【図２】
2005332017.tif 000004
【図３】
2005332017.tif 000005
【図４】
2005332017.tif 000006
【図５】
2005332017.tif 000007
【図６】
2005332017.tif 000008
【図７】
2005332017.tif 000009
【図８】
2005332017.tif 000010
【図９】
2005332017.tif 000011
【手続補正書】
【提出日】平成17年6月7日(2005.6.7)
【手続補正１】
【補正対象書類名】特許請求の範囲
【補正対象項目名】全文
【補正方法】変更
【補正の内容】
【特許請求の範囲】
【請求項１】
給油用のポンプと、給油量を計量する流量計と、給油用の給油ノズルとを有する給油装置を備えた給油所システムであって、
給油量又は給油金額を含む給油予定情報を入力するための給油予定情報入力手段と、
給油のために投入された貨幣を識別するための貨幣識別手段と、
予め入金された予納額および／または貨幣の金額から購入金額を減算した残高、ならびに、購入金額に基づいて定まるポイントを印字可能なプリペイドカードをストックするカードストッカと、
前記プリペイドカードの残高およびポイントの読み取りおよび書き込みを行うプリペイドカードリーダと、
クレジットカードの情報を読み取るクレジットカードリーダと、
制御装置とを備え、
少なくとも燃料油について、プリペイドカードのみによる購入と、貨幣のみによる購入と、プリペイドカードおよび貨幣の双方を用いた購入と、クレジットカードのみによる購入と、クレジットカードおよびプリペイドカードの双方を用いた購入とを可能にし、
購入時に前記プリペイドカードを投入した場合は、前記購入金額に応じたポイントを当該プリペイドカードに記憶させると共に印字し、
購入時に前記プリペイドカードを投入せずに、貨幣を投入した場合は、前記カードストッカから新しいプリペイドカードの発行を可能とすると共に、当該プリペイドカードに釣銭を残高として記憶させると共に印字し、かつ、購入金額に応じたポイントを記憶させると共に印字し、
購入時に前記プリペイドカードを投入せずに、クレジットカードを投入した場合は、前記カードストッカから新しいプリペイドカードの発行を可能とすると共に、当該プリペイドカードに購入金額に応じたポイントを記憶させると共に印字するように、
前記制御装置により制御することを特徴とする給油所システム。
【請求項２】
請求項１において、前記プリペイドカードを発行するか否かの選択スイッチを更に備え、前記クレジットカードのみを投入した場合に前記選択スイッチによりプリペイドカードの発行が選択されると、当該プリペイドカードに購入金額に応じたポイントが記憶されると共に印字されるように制御される給油所システム。
【請求項３】
請求項１もしくは２において、ポイントが付加されているが前記残高のないプリペイドカードは、貨幣と併用可能で、貨幣と併用されることで、当該プリペイドカードに新たにポイントが付加される給油所システム。
【請求項４】
請求項１において、前記購入時に前記プリペイドカードを投入せずに、クレジットカードを投入した場合であって、かつ、前記カードストッカから新しいプリペイドカードが発行され、当該発行されたプリペイドカードに前記購入金額に応じたポイントを記憶させると共に印字した場合において、
その後に前記発行されたプリペイドカードおよび貨幣を投入した場合、前記発行されたプリペイドカードに残高を発生させ、該発生した残高を当該プリペイドカードに記憶させると共に印字するように、前記制御装置により制御することを特徴とする給油所システム。
【請求項５】
給油用のポンプと、給油量を計量する流量計と、給油用の給油ノズルとを有する給油装置を備えた給油所システムであって、
給油量又は給油金額を含む給油予定情報を入力するための給油予定情報入力手段と、
給油のために投入された貨幣を識別するための貨幣識別手段と、
予め入金された予納額および／または貨幣の金額から購入金額を減算した残高、ならびに、購入金額に基づいて定まるポイントを印字可能なプリペイドカードをストックするカードストッカと、
前記プリペイドカードの残高およびポイントの読み取りおよび書き込みを行うプリペイドカードリーダと、
クレジットカードの情報を読み取るクレジットカードリーダと、
購入時に前記プリペイドカードを投入せずに、クレジットカードを投入した場合は、前記カードストッカから新しいプリペイドカードの発行を可能とする制御装置とを備え、
少なくとも燃料油について、プリペイドカードのみによる購入と、プリペイドカードおよび貨幣の双方を用いた購入と、クレジットカードのみによる購入とを可能にし、
前記購入時に前記プリペイドカードを投入せずに、クレジットカードを投入した場合であって、かつ、前記カードストッカから新しいプリペイドカードが発行された場合、当該発行されたプリペイドカードに購入金額に応じたポイントを記憶させると共に印字した場合において、
その後に前記発行されたプリペイドカードおよび貨幣を投入した場合、前記発行されたプリペイドカードに残高を発生させ、該発生した残高を当該プリペイドカードに記憶させると共に印字するように、前記制御装置により制御することを特徴とする給油所システム。